(57)【要約】      （修正有）【課題】コンパクトで携帯に適しているとともに、安全衛生で必要なときに誰にでも容易に使用することができる鼻腔洗浄用容器を提供すること。【解決手段】鼻腔内を洗浄するための容器において、容器本体２は袋状で軟質性の材料で構成され、前記容器本体２には鼻腔内に挿入するためのノズルを装着可能な口部３が設けられ、当該口部３はプロテクタ７により密封され、前記容器本体２に鼻腔洗浄液５を充填した鼻腔洗浄用容器１。【選択図】図１
0003112215.tif 000002
【実用新案登録請求の範囲】
【請求項１】
鼻腔内を洗浄するための容器において、容器本体（２）は袋状で軟質性の材料で構成され、前記容器本体（２）には鼻腔内に挿入するためのノズル（４、１４、２４）を装着可能な口部（３、１３、２３、３３）が設けられ、当該口部（３、１３、２３、３３）はプロテクタ（７）により密封され、
前記容器本体（２）に鼻腔洗浄液（５）を充填したことを特徴とする鼻腔洗浄用容器（１）。
【請求項２】
前記ノズル（１４）は、前記容器本体（２）内の鼻腔洗浄液（５）をシャワー状に流出させることができるように、複数の小孔（１９）を設けたノズル（１４）であることを特徴とする請求項１に記載の鼻腔洗浄用容器（１）。
【請求項３】
前記口部（２３）は、上部に略円錐体を延設し、当該略円錐体に、鼻腔洗浄液（５）の出口である小孔（１９）を形成し、ノズル（４）を上に引っ張るかまたは回すことで、前記小孔（１９）を開口できるように形成したことを特徴とする請求項１に記載の鼻腔洗浄用容器（１）。
【請求項４】
前記口部（３３）は、側部に鼻腔洗浄液（５）が通る孔（２９）を形成し、前記ノズル（２４）は前記孔（２９）と連通する溝（２８）を形成し、ノズル（２４）を回すことで、口部（３３）の孔（２９）と溝（２８）を連通することができるように形成したことを特徴とする請求項１に記載の鼻腔洗浄用容器（１）。
【請求項５】
前記ノズル（４、１４、２４）の鼻腔接触部（６、１６、２６）に、清涼剤を塗布したことを特徴とする請求項１ないし請求項４に記載の鼻腔洗浄用容器（１）。
【考案の詳細な説明】
【技術分野】
【０００１】
本考案は、鼻腔を洗浄するための容器に関するもので、具体的には鼻腔を洗浄するための生理食塩水などの鼻腔洗浄液があらかじめ充填されており、また携帯可能で、いつでも何処でも使用することができる鼻腔洗浄用の容器に関する。
【背景技術】
【０００２】
風邪の予防や鼻炎アレルギー、また近年特に増加している花粉症などの対策の一つとして、水、生理食塩水、その他各種殺菌剤溶液を用いての鼻腔内の洗浄が一般的に行われている。
鼻腔内の洗浄方法として、もっとも単純なものとしては、水や生理食塩水等を溜めたコップや洗面器などの容器を用意し、その容器内の水や生理食塩水を直接鼻腔から吸込んで、鼻もしくは口から吐き出す、いわゆる「鼻うがい」の方法がある。
しかし、この「鼻うがい」の方法では、慣れていない者にとっては容易には行える方法ではなく、また必要なときにいつでも何処でも行える方法でもない。
【０００３】
そこで鼻腔内の洗浄を、より簡単に誰にでもできるように、いくつかの鼻腔洗浄用容器が考えられている。
例えば、鼻腔内の洗浄に用いる容器として、特許文献１（実願昭５９−１８２３２９）には、取っ手をつけた合成樹脂等からなる容器に、出水管と手動ポンプを管でつないだ構造のものが記載されている。
また、特許文献２（特開２０００−８４０３３）には、復元力を有しない柔軟性材料で作られた容器である鼻腔洗浄剤入容器が記載され、特許文献３（特開２０００−１１６７４７）には発明の一つに、容器本体が合成樹脂フィルムを重ねた可撓性シートまたは内側に漏水防止の加工が施してあるクラフト紙等の紙材料、もしくはプラスチック材から作られている鼻洗浄用器具が記載されている。
【０００４】
特許文献１の容器では、携帯して使用するのは困難であり、また記載されている内容からでは具体的な構造が判断できず、製品化などは考えにくい。
特許文献２の容器は、ノズルを「硬質性のプラスチック材料等」または「軟質性のプラスチック材料でチューブ状に形成」または「容器本体と一体成型」する旨が記載されているが、鼻腔の形状には個人差があり、硬質性プラスチックのノズルでは鼻腔に合わない場合が考えられ、また単に軟質性のプラスチック材料からなるチューブ状のノズルでは鼻腔内洗浄時に使い勝手が悪く、容器本体と一体成型のノズルでは軟らかすぎて使い勝手が悪いと考えられる。
特許文献３に記載されている容器については、可撓性シート材を用いたものも記載されているが、特許文献３の容器は板バネ部材なる部品を必要とし、容器本体に板バネ部材を製造したり接着したりする手間がかかり、したがって製造にかかるコスト高へとつながることになり得る。
【特許文献１】実開昭５９−１８２３２９（［実用新案登録請求の範囲］）
【特許文献２】特開２０００−８４０３３（［請求項１］、［００１６］、［００１７］、［００２０］、図１、図２、図３）
【特許文献３】特開２０００−１１６７４７（［請求項１０］、［請求項１１］、［００２９］）
【考案の開示】
【考案が解決しようとする課題】
【０００５】
本考案が解決しようとする問題点は、特許文献１から特許文献３に記載の鼻腔洗浄容器は、前記理由により、まだ使い勝手が悪く、実用化が困難な点である。さらに改良の余地がある。
【課題を解決するための手段】
【０００６】
そこで本考案者は以上の課題を解決するために、鋭意検討を重ねた結果次の考案に到達した。
［１］本考案は、鼻腔内を洗浄するための容器において、容器本体（２）は袋状で軟質性の材料で構成され、前記容器本体（２）には鼻腔内に挿入するためのノズル（４、１４、２４）を装着可能な口部（３、１３、２３、３３）が設けられ、当該口部（３、１３、２３、３３）はプロテクタ（７）により密封され、
前記容器本体（２）に鼻腔洗浄液（５）を充填した鼻腔洗浄用容器（１）を提供する。
［２］本考案は、前記ノズル（１４）は、前記容器本体（２）内の鼻腔洗浄液（５）をシャワー状に流出させることができるように、複数の小孔（１９）を設けたノズル（１４）である［１］に記載の鼻腔洗浄用容器（１）を提供する。
［３］本考案は、前記口部（２３）は、上部に略円錐体を延設し、当該略円錐体に、鼻腔洗浄液（５）の出口である小孔（１９）を形成し、ノズル（４）を上に引っ張るかまたは回すことで、前記小孔（１９）を開口できるように形成した［１］に記載の鼻腔洗浄用容器（１）を提供する。
［４］本考案は、前記口部（３３）は、側部に鼻腔洗浄液（５）が通る孔（２９）を形成し、前記ノズル（２４）は前記孔（２９）と連通する溝（２８）を形成し、ノズル（２４）を回すことで、口部（３３）の孔（２９）と溝（２８）を連通することができるように形成した［１］に記載の鼻腔洗浄用容器（１）を提供する。
［５］本考案は、前記ノズル（４、１４、２４）の鼻腔接触部（６、１６、２６）に、清涼剤を塗布した［１］ないし［４］に記載の鼻腔洗浄用容器（１）を提供する。
【考案の効果】
【０００７】
（１）コンパクトで携帯に適しているとともに、安全衛生で必要なときに誰にでも容易に使用することができる。
（２）鼻腔洗浄用容器を握る加減で洗浄時の水量、水勢を使用者自身が自在に調整できるので、鼻腔内の洗浄に慣れていない者でも、恐怖心や抵抗感が少なく洗浄することができる。
（３）ノズルの鼻腔に接する鼻腔接触部に塗布した清涼剤が、鼻の通りをよくする。
【考案を実施するための最良の形態】
【０００８】
図１は本考案の鼻腔洗浄用容器１のノズル４（１４）を装着する前の概略図である。図２は本考案の鼻腔洗浄用容器１の（ａ）ノズル４と（ｂ）ノズル１４の概略図で、図３は本考案の鼻腔洗浄用容器１のノズル４（１４）に逆止弁８を装着した場合の（ａ）流液前（ｂ）流液中（ｃ）流液後の一例を示す拡大断面図で、図４は本考案の本発明の鼻腔洗浄用容器１の口部とノズルの組み合わせの他の一例を示す（ａ）閉口時（ｂ）開口時の拡大断面図、図５は本考案の本発明の鼻腔洗浄用容器１の口部とノズルの組み合わせの他の一例を示す（ａ）拡大断面図（ｂ）閉口時のＡ−Ａ´断面図（ｃ）開口時のＡ−Ａ´断面図であり、図６は本考案の鼻腔用洗浄容器１の口部の他の一例を示す概略図である。
［鼻腔洗浄用容器１］
鼻腔洗浄用容器１は、容器本体２と口部３、プロテクタ７とから構成される。容器本体２には口部３が直接接続され、口部７はプロテクタ７により密封されている。鼻腔洗浄用容器１は、片手で握ることのできる容量で、携帯にも邪魔にならない程度の大きさ及び重さとするのが良い。
容器本体２の内部には鼻腔内を洗浄するための洗浄液として、あらかじめ鼻腔洗浄液５が充填される。鼻腔洗浄液としては、例えば体液や血液と同じ浸透圧である生理食塩水が好ましい。浸透圧が同じ生理食塩水を使用して洗浄することで、鼻粘膜へのダメージや不快感が軽減される。さらに、医療用の精製水や無菌水などを利用して製造した生理食塩水を使用することにより、安全で衛生的な鼻腔内洗浄を行える。
【０００９】
寒い季節などに鼻腔洗浄用容器１で鼻腔を洗浄する際、鼻腔洗浄液が冷たく感じるようなときには、鼻腔洗浄用容器１を、湯を張った容器などに直接入れ、鼻腔洗浄液５を温めて使用することができる。
鼻腔洗浄用容器１はある程度熱に強く、しかも水に沈むので人の体温程度であれば好適に温めることができる。なお、温め過ぎて鼻腔洗浄液５が熱くなると、直接手で持つことができず、また鼻腔洗浄時に、デリケートな鼻腔内に損傷を与えることもあるので、鼻腔洗浄液は人の体温程度に温めるのがよい。
【００１０】
［容器本体２］
容器本体２を構成する材料は、例えばポリプロピレン、ポリエチレン、塩化ビニル等の軟質性合成樹脂等を用いる。容器本体２の製造方法としては、例えば公知の血液バッグのように、（１）可撓性の二枚のシートを重ね合わせて、袋状に製袋する方法（シート成形）または（２）インフレーションチューブにより、袋状に製袋する公知の方法（インフレーション成形）により、製造することができる。容器本体２は、既存の機械や金型を用いて製造できるので、余分なコストがかかることなく、低コストでの製造が可能である。
【００１１】
［口部３］
口部３は、図１、図３に例示するように、管状ないし筒状に形成され、容器本体２に液漏れのないように装着される。例えば、前記（１）シート成形ないし（２）インフレーション成形時に、容器本体２に溶着される。
口部３は、開封用のプロテクタ７で覆って密封し、鼻腔洗浄を行うときまで口部３を衛生的に保たれる（雑菌等に汚染されない）ようにする。
プロテクタ７は、公知の帽子状、袋状のものでも良いし、キャップ状のものでも良い。
図１に例示する帽子状（袋状）のプロテクタ７の場合、取手を引っ張って切り込み（あえて図示しない）から引裂くことで口部３が開封することができる。
開封した口部３に、鼻腔に直接挿入するノズル４、１４を装着する。図３の例示では、ノズル４、１４を、口部３よりも大径に形成し、ノズル４、１４の内壁面を、口部３の外壁面に圧入しているが、口部３をノズル４、１４よりも大径に形成し、ノズル４、１４の外壁面を、口部３の内壁面に圧入しても良い。
ノズル４、１４と口部３は、一度、装着したら、液密性を維持できる程度に、容易に外れないような構造にするのが好ましいが、要するに、口部３とノズル４、１４は、双方が液漏れのないように密着でき、なおかつ容易に外れない構造であればどのような構造・形状でも良い。
【００１２】
［口部１３］
口部３のその他の形状として、図６に例示するように、切込み１７を形成したゴム栓１５を装着した口部１３を採用することができる。例えば、鼻腔洗浄時に、ゴム栓１５の切込み１６に、ノズル４、１４を圧入する。ノズル４、１４は、図２、図３に例示したものよりも、更に細径に形成し、切込み１７に圧入しやすくするのが良い。
以上、口部３、１３の例を挙げたが、鼻腔洗浄用容器１の口部については、特にこれらに限定するものではない。
【００１３】
［ノズル４］
ノズル４は、図２（ａ）に例示するように、鼻腔に挿入しやすいように、先端を先細りテーパ状に形成したものが良い。また図３に例示するように、液体の流路の途中に公知の逆止弁（一方向弁ともいう）８等を配置して、鼻腔用洗浄容器１が倒れたりした場合でも、中の鼻腔洗浄液５が容易に流れ出たりしないようにしておくのが良い。
また、洗浄時に鼻腔へと挿入した際、鼻腔の内壁を傷つけたり、違和感や痛みなどの苦痛の他、においなどを伴わないように、ノズル４には、例えばシリコーン等の軟質材料、さらにこれらの軟質材料に抗菌剤等を添加したものを用いるのが好ましい。
ノズル４の先端には、容器本体２内に充填した鼻腔洗浄液５がスムーズに鼻腔へと流れ込む程度の孔９を開ける。この孔９があまりに小さいと、容器本体２を圧力を加えたときに、鼻腔洗浄液５がスムーズに流出しないので鼻腔内を十分に洗浄するのに時間がかかり、逆に孔９があまり大きすぎると、鼻腔洗浄液５が一度に大量に流出してしまうことから、鼻腔内を十分に洗浄できないので好ましくない。
ノズル４の鼻腔の接する鼻腔接触部６（先端から先細りテーパ近傍）には、メントールなどの清涼剤を塗布しておくと、ノズル４を鼻腔に挿入した際に鼻炎や花粉症、風邪などで詰まった鼻が通りやすくなったり、メントール類のさわやかなにおいで爽快感が得られたりすることから、鼻腔の洗浄効果とともに気分的にもよりすっきりとするといった効果が期待できる。
一般的に鼻腔内を洗浄する時としては、風邪や鼻炎などで鼻腔内が不快な場合が想定され、鼻が詰まった状態も例外ではない。特に、鼻腔内洗浄時に鼻が詰まっていると、鼻腔内の感覚が鈍っていたりして、洗浄時に上手に洗浄できない場合も考えられるので、洗浄前に清涼剤で鼻を通るようにする効果は、洗浄する際において、より有効となる。
【００１４】
［ノズル１４］
図２（ａ）に例示したノズル４（洗浄液の流出口が一箇所）の代わりに、図２（ｂ）に例示するように、洗浄液の流出口として小孔９を複数空け、洗浄時には鼻腔洗浄液５がシャワー状に噴出できるようにしたノズル１４を取り付けることができる。ノズル１４は、複数の小孔９の形状以外は、前記ノズル４と形状・構造・材料は実質的に同一であるから詳細な説明は省略する。このシャワー状のノズル１４を使用すれば、鼻腔内に鼻腔洗浄液５が拡散して流出することから、鼻腔への直接的な刺激が比較的小さく、ノズル４より洗浄時の刺激が少なくなる。ノズル４とノズル１４は、洗浄する際の鼻腔の状況、使用者の気分や好みなどで適宜選択することができる。
【００１５】
その他、口部とノズルの組み合わせとして、図４に例示するものが使用できる。口部２３は、例えば図２の口部３の上部に略円錐体を延設し、当該略円錐体部分の外周に鼻腔洗浄液５の出口である小孔１９を形成し、当該口部２３に図１のノズル４と実質的に同じノズル４を装着している。ノズル４を上に引っ張るかまたは回したりすることで開口でき、さらにノズル４の回す角度や締め具合などによって小孔１９の大きさを調節することができる。ノズル４の内側と口部２３の外側は、螺合や液漏れしない程度の嵌合等により噛み合わせまたは装着される。
また、口部とノズルの組み合わせは、図５に例示するものが使用できる。口部３３は、側部に鼻腔洗浄液５が通る孔２９を形成している。さらに詳述すれば、図５では、上部に略円錐体を延設し、当該略円錐体の下部に孔２９を形成している。他方ノズル２４は前記孔２９と連通する溝２８を形成している。さらに詳述すれば、図５では、溝２８は、口部３３の略円錐体に沿って立ち上がるように形成されている。ノズル２４を回すことにより口部３３の孔２９と溝２８が合わさって連通し、鼻腔洗浄液５の流出通路が形成できる。
このような小孔１９、孔２９の大きさの調節ができるノズルと口部の組み合わせであれば、使用者の鼻腔洗浄時における鼻腔洗浄用容器１の握り加減と併せて、使用者の好みの水量や水勢に微調整することができ、より好適に使用することができる。
なお、小孔１９、孔２９、溝２８の形状、数、形成位置等は、図４、図５に例示したものに限定されず、必要に応じて適宜変更できる。
【００１６】
［実施例］
本発明の鼻腔洗浄用容器１を用いて鼻腔洗浄を行う方法の一例を説明する。
（１）鼻腔洗浄用容器１の口部３を、プロテクタ７を引っ張って引裂き、容器本体２から鼻腔洗浄液５が送り出せるように開封する。ノズル４または、使用状況等に応じてノズル１４もしくはノズル２４を装着する。
（２）ノズル４（１４、２４）を鼻腔に挿入するか、または洗浄可能な程度の鼻腔内の位置に当てる。
（３）容器本体２を、容器内の鼻腔洗浄液５を押し出すように握ると、容器本体２内の鼻腔洗浄液５が、ノズル４（１４、２４）を経て鼻腔内へと流れ込む。このとき、容器本体２を握る力の加減により、鼻腔洗浄液５の流出量を使用者の任意で調節することができる。
なお、風邪や鼻炎などで鼻が詰まったような状態でも、ノズル４（１４、２４）の鼻腔接触部６（１６、２６）に塗布されたメントールなどの清涼剤の作用により、詰まった鼻が通りやすくなったり、メントール類特有のさわやかなにおいで爽快感が得られたりすることから、鼻腔の洗浄効果とともに気分的にもよりすっきりとするといった効果が期待できる。
【図面の簡単な説明】
【００１７】
【図１】本考案の鼻腔洗浄用容器１のノズルを装着する前の概略図
【図２】本考案の鼻腔洗浄用容器１の（ａ）ノズル４と（ｂ）ノズル１４の概略図
【図３】本考案の本発明の鼻腔洗浄用容器１のノズル４（１４）に弁を用いた場合の（ａ）流液前（ｂ）流液中（ｃ）流液後の一例を示す拡大断面図
【図４】本考案の本発明の鼻腔洗浄用容器１の口部とノズルの組み合わせの他の一例を示す（ａ）閉口時（ｂ）開口時の拡大断面図
【図５】本考案の本発明の鼻腔洗浄用容器１の口部とノズルの組み合わせの他の一例を示す（ａ）拡大断面図（ｂ）閉口時のＡ−Ａ´断面図（ｃ）開口時のＡ−Ａ´断面図
【図６】本考案の鼻腔用洗浄容器１の口部の他の一例を示す概略図
【符号の説明】
【００１８】
１  鼻腔洗浄用容器
２  容器本体
３、１３、２３、３３  口部
４、１４、２４  ノズル
５  鼻腔洗浄液
６、１６、２６  鼻腔接触部
７  プロテクタ
８  逆止弁（一方向弁）
９、２９  孔
１５  ゴム栓
１７  切込み
１９  小孔
２８  溝
【図１】
0003112215.tif 000003
【図２】
0003112215.tif 000004
【図３】
0003112215.tif 000005
【図４】
0003112215.tif 000006
【図５】
0003112215.tif 000007
【図６】
0003112215.tif 000008